(57)【特許請求の範囲】
【請求項１】
各々の被看護者に付帯又は各々の被看護者を他と区別する位置に設けられると共に、その各々の被看護者を区別する識別情報の信号を無線発信する情報発信ユニットと、各々の看護者に付帯される情報管理ユニットであって、前記情報発信ユニットと所定の距離にあるときに前記識別情報の信号を受信する情報受信ユニットと、時間を計測する計時手段とを持ち、前記情報発信ユニットと前記情報受信ユニットとが所定の距離にあるときの時間を前記計時手段に計測させ、計測された時間を被看護者の前記識別情報に対応させて記憶する情報管理ユニットと、前記情報管理ユニットから伝送される看護データを蓄積し、被看護者毎の看護時間を処理する情報処理装置と、からなることを特徴とする看護情報管理システム。
【請求項２】
各々の被看護者に付帯され，その各々の被看護者を区別するための識別情報の信号を無線発信する第１情報発信ユニットと、各々の看護者に付帯され，その各々の看護者を区別するための識別情報の信号を無線発信する第２情報発信ユニットと、医療施設内で被看護者及び看護者が移動した際もその移動位置を検知可能に適当な間隔を置いて複数の位置に設けられ、前記第１情報発信ユニット及び第２情報発信ユニットからの信号を受信する複数の受信器と、時間を計測する計時手段を持ち、前記複数の受信器により受信された前記第１情報発信ユニット及び第２情報発信ユニットからの信号に基づいて被看護者及び看護者の位置を特定し、両者が所定の接近状態にあるときの時間を前記計時手段に計測させ、計測した時間を被看護者及び看護者の前記識別情報に対応させて記憶する情報処理装置と、からなることを特徴とする看護情報管理システム。
【請求項３】
各々の被看護者に付帯され，その各々の被看護者を区別するための識別情報の信号を無線発信する第１情報発信ユニットと、各々の看護者に付帯され，その各々の看護者を区別するための識別情報の信号を無線発信する第２情報発信ユニットと、医療施設内で被看護者及び看護者が移動した際もその移動位置を検知可能に所定の区域毎に設けられ、前記第１情報発信ユニット及び第２情報発信ユニットからの信号を受信する複数の受信器と、時間を計測する計時手段を持ち、前記複数の受信器により受信された前記第１情報発信ユニット及び第２情報発信ユニットからの信号に基づいて被看護者及び看護者が入っている区域を特定し、両者が同じ区域内にいる間の時間を前記計時手段に計測させ、計測した時間を被看護者及び看護者の前記識別情報に対応させて記憶する情報処理装置と、からなることを特徴とする看護情報管理システム。
【発明の詳細な説明】
【０００１】
【発明の属する技術分野】
本発明は、被看護者の看護情報を管理する看護情報管理システムに関する。
【０００２】
【従来技術】
患者や介護者に対する看護業務（介護業務）において、従来の経験的な看護ではなく科学的に看護業務を分析するＥＢＮ（Evidence-Based Nursing）が注目されている。看護業務においては看護内容である質的充実と時間的充実は看護にとって重要な要素であり、ＥＢＮにおいてもこれらの要因によって被看護者に対する影響を分析することが課題となっている。
【０００３】
質的要因については看護者、被看護者双方による主観的認識が存在するため、客観的に評価を行うことは難しいが、時間的要因については看護録等に記載された看護時間、看護内容をもとに客観的に数値で評価することが可能である。
【０００４】
【発明が解決しようとする課題】
しかしながら、看護録から患者毎に対する看護時間等を別に抜き出し、これを統計処理等行なって時間的要因について評価を行うことは、看護者にとって手間であり作業負担の増大となってしまう。
【０００５】
上記従来技術の問題点に鑑み、看護者の手間を掛けることなく、看護情報の管理を行うことのできる看護情報管理システムを提供することを技術課題とする。
【０００６】
【課題を解決するための手段】
上記課題を解決するために、本発明は以下のような構成を備えることを特徴とする。
【０００７】
（１）  各々の被看護者に付帯又は各々の被看護者を他と区別する位置に設けられると共に、その各々の被看護者を区別する識別情報の信号を無線発信する情報発信ユニットと、各々の看護者に付帯される情報管理ユニットであって、前記情報発信ユニットと所定の距離にあるときに前記識別情報の信号を受信する情報受信ユニットと、時間を計測する計時手段とを持ち、前記情報発信ユニットと前記情報受信ユニットとが所定の距離にあるときの時間を前記計時手段に計測させ、計測された時間を被看護者の前記識別情報に対応させて記憶する情報管理ユニットと、前記情報管理ユニットから伝送される看護データを蓄積し、被看護者毎の看護時間を処理する情報処理装置と、からなることを特徴とする。
（２）  各々の被看護者に付帯され，その各々の被看護者を区別するための識別情報の信号を無線発信する第１情報発信ユニットと、各々の看護者に付帯され，その各々の看護者を区別するための識別情報の信号を無線発信する第２情報発信ユニットと、医療施設内で被看護者及び看護者が移動した際もその移動位置を検知可能に適当な間隔を置いて複数の位置に設けられ、前記第１情報発信ユニット及び第２情報発信ユニットからの信号を受信する複数の受信器と、時間を計測する計時手段を持ち、前記複数の受信器により受信された前記第１情報発信ユニット及び第２情報発信ユニットからの信号に基づいて被看護者及び看護者の位置を特定し、両者が所定の接近状態にあるときの時間を前記計時手段に計測させ、計測した時間を被看護者及び看護者の前記識別情報に対応させて記憶する情報処理装置と、からなることを特徴とする。
（３）  各々の被看護者に付帯され，その各々の被看護者を区別するための識別情報の信号を無線発信する第１情報発信ユニットと、各々の看護者に付帯され，その各々の看護者を区別するための識別情報の信号を無線発信する第２情報発信ユニットと、医療施設内で被看護者及び看護者が移動した際もその移動位置を検知可能に所定の区域毎に設けられ、前記第１情報発信ユニット及び第２情報発信ユニットからの信号を受信する複数の受信器と、時間を計測する計時手段を持ち、前記複数の受信器により受信された前記第１情報発信ユニット及び第２情報発信ユニットからの信号に基づいて被看護者及び看護者が入っている区域を特定し、両者が同じ区域内にいる間の時間を前記計時手段に計測させ、計測した時間を被看護者及び看護者の前記識別情報に対応させて記憶する情報処理装置と、からなることを特徴とする。
【０００８】
（２）  （１）の看護情報管理システムにおいて、前記情報受信ユニットは所定周波数の電波を発信する発信手段を有し、前記所定の距離とは前記情報発信ユニットが前記発信手段から発信する電波を受信可能な距離であることを特徴とする。
【０００９】
（３）  （１）の看護情報管理システムにおいて、前記情報受信ユニットはその情報受信ユニットを付帯する看護者を特定する識別情報を記憶する手段を持ち、看護情報管理システムはさらに前記情報受信ユニットで受信された被看護者の識別情報とその受信時間、及び看護者の識別情報から被看護者に対する看護者の看護時間を割り出す情報処理手段を備えることを特徴とする。
【００１０】
（４）  看護者に付帯される情報発信ユニットであって，その看護者又はそのユニットを区別する識別情報を無線発信する情報発信ユニットと、被看護者を他と区別する場所に設けられ，前記情報発信ユニットが所定の接触状態にあるときに前記識別情報を受信する情報受信ユニットと、該情報受信ユニットが前記識別情報を受信した時間を計測する計時手段と、からなることを特徴とする。
【００１１】
（５）  （４）の看護情報管理システムにおいて、前記情報受信ユニットは被看護者の病室又は所定エリア内に前記情報受信ユニットが出入りしたことを検知する検知手段を持ち、前記計時手段は前記検知手段の検知結果に基づいて前記識別情報を受信した経過時間を計測することを特徴とする。
【００１２】
（６）  被看護者に付帯され，その被看護者を区別するための識別情報を無線発信する第１情報発信ユニットと、看護者に付帯され，その看護者を区別するための識別情報を無線発信する第２情報発信ユニットと、医療施設内の適当な場所に設けられ，前記第１情報発信ユニット及び第２情報発信ユニットからの識別情報をそれぞれ受信して両者が所定の接触状態にあることを検知する検知手段と、該検知手段により検知された両者の接触状態の時間を計測する計時手段と、を備えることを特徴とする。
【００１３】
【発明の実施の形態】
以下に本発明の看護情報管理システムに関する実施の形態を図面に示しながら説明する。
【００１４】
＜実施例１＞
図１は看護情報管理システムの１実施例を示す図である。Ａ、Ｂは被看護者、Ｃは看護者である。被看護者Ａ、Ｂには無線通信式記憶媒体の１種である無線タグ１が、看護者Ｃには看護情報を記憶しておくための管理ボックス１０が各々付帯されている。２０は別室に設けられたコンピュータからなる情報処理装置であり、管理ボックス１０に記憶された看護者の各種データを蓄積し、統計処理等を行うことができるようになっている。
【００１５】
図２（ａ）は無線タグ１の構成を示した図である。２は送受信用アンテナ２である。３は被看護者を識別するための識別情報（例えば、ＩＤ番号等）が記憶されているメモリ、４は駆動電源となる電池である。５はアンテナ２より受信された電波の解析を行う受信回路、メモリ３に記憶された識別情報をアンテナ２より送信させるための送信回路、所定周波数の受信電波に対して同調する同調回路、これらの制御を行うＣＰＵ（Central Processing Unit）等からなる制御部である。
【００１６】
無線タグ１はアンテナ２にて所定周波数の電波を受信（所定周波数の電波に同調）すると、制御部５によりメモリ３に記憶してある識別情報を電波としてアンテナ２より送信するようになっている。
【００１７】
看護者Ｃには患者情報を管理するための管理ボックス１０が付帯されている。図３は管理ボックス１０の構成を示した図である。１１は送受信用アンテナである。１２は看護情報を記憶しておくためのメモリ、１３は駆動電源となる電池、１４は現在の日時、看護時間を計測するためのタイマー部である。メモリ１２には看護者を識別するための識別情報が予め記憶されている。
【００１８】
１５はアンテナ１１より受信された電波の解析を行う受信回路、所定周波数の電波をアンテナ１１より送信させるための送信回路、これらの制御を行うＣＰＵ等からなる制御部である。１６は管理ボックス１０外部に設けられた複数のスイッチからなるスイッチ部である。スイッチ部１６には看護内容（例えば、リハビリ、治療、投薬等）を指定するスイッチ、メモリ１２に記憶された各種データを外部へ送信するためのデータ送信スイッチ等が設けられている。１７はプリンタポート、ＲＳ２３２Ｃ等の外部にデータを送信するための出力部である。１８は管理ボックス１０外部に設けられているＬＥＤである。ＬＥＤ１８は無線タグ１からの電波を受信している間は点灯しており、看護者に受信中であることを報知する手段として使用される。
【００１９】
以上のような構成を備える看護情報管理システムにおいて、その動作について説明する。
【００２０】
看護者Ｃは被看護者Ａに対して看護を行うために接近する。このとき、看護者Ｃに取り付けられている管理ボックス１０からは、制御部１５により所定周波数の電波が常時発信されており、電波による問い合わせが行われている。看護者Ｃと被看護者Ａとの距離が所定距離（例えば１ｍ）まで接近すると、無線タグ１に設けられたアンテナ２により電波が受信される。
【００２１】
アンテナ２により所定周波数の電波が受信されると、所定周波数の電波が受信され続けている間は、無線タグ１の制御部５は受信状態である旨を管理ボックス１０側に検知させるための信号をアンテナ２を通して送信する。また同時に制御部５はメモリ３に記憶してある識別情報（被看護者のＩＤ番号）を管理ボックス１０へ送信する。
【００２２】
管理ボックス１０がアンテナ１１により無線タグ１からの信号及び識別情報を受信すると、制御部１５はＬＥＤ１８を点灯させ、無線タグ１からの信号を受信していることを報知するとともに、タイマー部１４により受信開始からの経過時間をカウントする。
【００２３】
看護者Ｃは管理ボックス１０のスイッチ部１６のスイッチを用いて看護内容を選択する。制御部１５は看護日時、看護内容、被看護者の識別情報を同じグループの情報としてメモリ１２に記憶させておく。看護が終了し、看護者Ｃが被看護者Ａに対して所定距離離れ、無線タグ１に管理ボックス１０からの所定周波数の電波が受信されなくなると、無線タグ１の制御部５は信号を送信するのを止める。無線タグ１からの信号が止まり、管理ボックス１０のアンテナ１１から信号が受信されなくなると制御部１５はＬＥＤ１８を消灯させ、無線タグ１からの信号を受信されていないことを報知する。また、同時に制御部１５はタイマー部１４による受信経過時間のカウントを止め、これまでの経過時間を被看護者Ａに対する看護時間としてメモリ１２に記憶させて受信処理を終了する。
【００２４】
次に、看護者Ｃは同じ作業を被看護者Ｂに対しても行う。看護者Ｃは看護を行うため被看護者Ｂに所定距離内まで接近すると、管理ボックス１０から発信される電波が被看護者Ｂに取り付けられた無線タグ１に受信される。被看護者Ｂに取り付けた無線タグ１に管理ボックス１０から発信される電波が受信されると、無線タグ１の制御部５は受信状態である旨を管理ボックス１０側に検知させるための信号を送信する。また同時に制御部５はメモリ３に記憶してある識別情報（被看護者ＢのＩＤ番号）を管理ボックス１０へ送信する。
【００２５】
看護者Ｃは無線タグ１からの信号を管理ボックス１０が受信していることを確認し、スイッチ部１６にて看護内容を指定し、看護を行う。
【００２６】
管理ボックス１０の制御部１５は被看護者を識別するための識別情報が前回（被看護者Ａ）と異なっていることを検知すると、被看護者の看護情報を前回と異なるグループの情報としてメモリ１２に記憶する。また、無線タグ１からの信号を受信している間はタイマー部１４により経過時間のカウントを行う。
【００２７】
看護が終了し、看護者Ｃが被看護者Ｂに対して所定距離離れ、無線タグ１に所定周波数の電波が受信されなくなると、無線タグ１の制御部５は信号を送信するのを止める。無線タグ１からの信号が受信されなくなると、制御部１５はタイマー部１４による受信経過時間のカウントを止め、経過時間を被看護者Ｂの看護時間としてメモリ１２に記憶し、受信処理を終了する。
【００２８】
すべての看護業務を終了した後、看護者Ｃは管理ボックス１０と情報処理２０とを出力部１７を通じて接続させ、スイッチ部１６のデータ送信スイッチを使用してメモリ１２に記憶した被看護者Ａ及びＢの看護情報と看護者Ｃの識別情報（看護者ＣのＩＤ番号）とを情報処理装置２０に伝送する。伝送された看護情報はメモリ１２より消去される。
【００２９】
このように、看護者は看護作業後に改めて看護録に記録することなく看護情報を作製、管理をすることができる。また、情報処理装置２０に看護データが蓄積されているため、各種の統計作業を簡単に行うことができ、ＥＢＮ等に役立てことができる。
【００３０】
以上の実施例では管理ボックス、無線タグは看護者、被看護者が各々身につけるものとしているが、これに限るものではなく看護者、被看護者の側に置いておいてもよい。例えば無線タグ１は被看護者のベッドに取り付けておくこともできる。
【００３１】
また、実施例では無線タグ１は所定の周波数を受信すると電波を発信するものとしたが、これに限るものではなく、無線タグ１自身から常に電波を発するようにしておき、これを管理ボックス１０が受信するようにしてもよい。
【００３２】
さらに、実施例では管理ボックス１０から常時電波を出すものとしているが、所定間隔毎（例えば１分間間隔）に管理ボックス１０から電波を発信するようにすることにより、管理ボックス１０の消費電力を抑えることもできる。
【００３３】
＜実施例２＞
次に本発明における別の実施の形態を実施例２として図４、図５に示し、以下に説明する。
【００３４】
被看護者が個室にいるような場合（部屋毎に１人しか被看護者がいないような場合）には個室の入り口にゲートを設けておき、看護者の個室への出入りにより看護作業が行われているか否かを判断することもできる。
【００３５】
図４はゲートを設けたときの構成を示す図である。この場合、被看護者Ａが居る部屋の入り口にゲート３０を設置しておく。ゲート３０は図５に示すように送受信用アンテナ３１、制御部３２、タイマー部３３、メモリ３４、出力部３５等からなる。また、ゲート３０はアンテナ３１より所定周波数の電波が発信されている。受信用アンテナ３１は並列に２つ内蔵されており、通過方向により入室・退室を識別することができる。
【００３６】
無線タグ１を携帯した看護者Ｃが被看護者Ａの居る部屋へ入室するためにゲートを通ると、無線タグ１は所定周波数の電波を受信し、看護者Ｃの識別情報を持った信号を発信する。ゲート３０に設けられた制御部３２は無線タグ１からの信号を受信すると看護者Ｃが部屋に入室したことを検知し、タイマー部３３にて入室してからの経過時間をカウントする。このとき制御部３２は看護者Ｃがゲート３０から遠ざかり、無線タグ１が電波を発信しなくなってもタイマー部３３による時間の計測を止めずにメモリ３４にその経過時間をカウントする。
【００３７】
看護者Ｃが被看護者Ａの看護作業を終えて退室のためゲート３０を通ると、再び無線タグ１から電波が発信され、ゲート３０側に受信される。制御部３２は再び無線タグ１からの信号を受信すると、タイマー部３３による経過時間のカウントを止めて、メモリ３４にこれまでの経過時間と看護者と被看護者の識別情報、看護日時、経過時間等を看護情報として記憶させる。その後、ケーブル３６を通じて情報処理装置２０に送信する。
【００３８】
また、看護内容を看護情報として扱いたい場合には、ゲート３０に各看護内容を指定することのできるスイッチを複数設けておき、使用されたスイッチに基づいて看護内容を看護情報としてメモリ３４に記憶しておけばよい。
【００３９】
上記の実施の形態では、ゲート３０にタイマー部３３、メモリ３４等を備えるものとしたが、これに限るものではなく、ゲート３０は単純に看護者の識別情報を受信するための受信器として扱うこともできる。この場合、情報処理装置２０にゲート３０を通過したときの時間（入室及び退室）を記録するタイマー部を設けておく。看護者Ｃがゲート３０を通り入室すると情報処理装置２０にて入室時間の記録を行い、再びゲート３０を通って退出する際に退出時間を記録する。そしてこの入室時間と退室時間との差から看護者Ｃの病室における滞在時間（看護時間）を求めるような構成としてもよい。また、入室時間と退室時間との差から滞在時間を求めるのではなく、入室から退室までの時間を計測していてもよい。
【００４０】
また、被看護者Ａ，Ｂ、看護者Ｃには各々の識別情報を発信する無線タグ１を付帯させておくとともに、この無線タグ１から発信される識別情報を受信するゲートを病室の入り口だけでなく、廊下等にも一定間隔で設けておくこともできる。この構成を図８に示す。
【００４１】
１００ａ〜１００ｄは無線タグ１からの識別情報を受信するゲートである。ゲート１００ａ〜１００ｄは部屋の入り口や廊下等に一定間隔にて設けられており、ゲート毎に受け持つ区域（セル）を設定している。また、ゲート１００ａ〜１００ｄは並列に２つの受信アンテナが内蔵されており、看護者Ａ，Ｂや被看護者Ｃがどの方向から来たのかを検知することができるようになっている。
【００４２】
例えば看護者Ｃが紙面左方向からやってきてゲート１００ａを通ると、ゲート１００ａは看護者Ｃが付帯する無線タグ１からの信号を受信し、情報処理装置２０へ伝送する。これにより情報処理装置２０は看護者Ｃが現在セルαにいることを認知する。看護者Ｃはさらに廊下を進み、被看護者Ｂを看護するため被看護者Ｂのいるセルγへ入る。被看護者Ｂにも無線タグ１が付帯されており、情報処理装置２０では被看護者Ｂがセルγ内にいることが認識されている。
【００４３】
情報処理装置２０はゲート１００ａ〜１００ｃから送られてくる信号から看護者Ｃがセルγに入ったことを認識すると、両者（被看護者Ｂと看護者Ｃ）が同じセルにいる間、その時間を看護時間として計測を行ない、その時間を記憶する。
【００４４】
このように、看護時間や被看護者の特定を意識することなく自動的に両者の接触時間を計測するため、看護者の負担がなく意識せずに看護情報が情報処理装置２０に記憶されていくこととなる。
【００４５】
＜実施例３＞
次に本発明における別の実施の形態を実施例３として図６、図７に示し、以下に説明する。
【００４６】
被看護者Ｄ，Ｅ、看護者Ｆは各々の現在位置を特定させるための電波発信器４０ａ〜４０ｃを付帯している。電波発振器４０ａ〜４０ｃは付帯者を特定するために異なる波長の電波を発信している。４１ａ〜４１ｉは受信アンテナであり、電波発振器４０ａ〜４０ｃの電波を受信する。受信アンテナ４１ａ〜４１ｉは廊下、病室等に所定の間隔（例えば５ｍ間隔）にて設置されており、電波発振器４０ａ〜４０ｃから発信する電波をどの場所においても受信できるようになっている。また、看護者、被看護者の正確な位置を検知させるためには、部屋の中に３〜４個の受信アンテナを取り付けておくことが好ましい。
【００４７】
５０は別室に設けられた情報処理装置である。５１は被看護者と看護者の現在地を割り出すための位置検出部である。位置検出部には予め受信アンテナ４１ａ〜４１ｉの位置と識別情報が与えられており、受信アンテナ４１ａ〜４１ｉとはケーブル４２にて接続されている。５２は制御部、５３はメモリ、５４はタイマー部である。
【００４８】
以上のような構成を持つ看護情報管理システムについてその動作を説明する。
【００４９】
被看護者Ｄ，Ｅ、看護者Ｆが携帯する電波発振器４０ａ〜４０ｃから発信する電波を受信アンテナ４１ａ〜４１ｉが受信すると、その受信状況がケーブル４２を通して位置検出部５１に送られる。情報処理装置５０では位置検出部５１では受信アンテナ４１ａ〜４１ｉからの受信状態により電波発振器４０ａ〜４０ｃの位置（看護者Ｆ、被看護者Ｄ，Ｅの現在位置）を特定する。
【００５０】
制御部５２は位置検出部５１で得られた各電波発信器４０ａ〜４０ｃの位置情報を基に看護者Ｆと被看護者Ｄ，Ｅとの距離を算出する。制御部５２は看護者Ｆと被看護者Ｄ，Ｅとの距離が所定距離（例えば１ｍ）に近づくと看護作業が行われていると認識し、タイマー部５４にて看護作業の経過時間をカウントさせる。看護者Ｆと被看護者Ｄ，Ｅとの距離が所定距離より離れると、制御部５２はタイマー部５４による経過時間のカウントを止め、これまでの経過時間を被看護者と看護者の識別情報とともに看護情報としてメモリ５３に記憶させる。
【００５１】
【発明の効果】
以上のように、本発明では看護者と被看護者の接近状態を電波により検知し、これを看護作業時間として記憶するため、看護者の手間を掛けることなく、看護情報の管理を行うことができる。
【図面の簡単な説明】
【図１】実施例１の看護情報管理システムの構成を示す図である。
【図２】無線タグ１の制御系の構成を示す図である。
【図３】管理ボックス１０の制御系の構成を示す図である。
【図４】入り口にゲートを設けた実施例２の看護情報管理システムの構成を示す図である。
【図５】ゲートを使用した際の看護情報管理システムの制御系を示す図である。
【図６】複数の受信アンテナを設けた実施例３の看護情報管理システムの構成を示す図である。
【図７】実施例３の制御系の構成を示す図である。
【図８】実施例２の変容例を示す図である。
【符号の説明】
１  無線タグ
２  送受信用アンテナ
３  メモリ
５  制御部
１０  管理ボックス
１１  送受信用アンテナ
１２  メモリ
１４  タイマー部
１５  制御部
１６  スイッチ部
２０  情報処理装置
【図１】
0004118024.tif 000002
【図２】
0004118024.tif 000003
【図３】
0004118024.tif 000004
【図４】
0004118024.tif 000005
【図５】
0004118024.tif 000006
【図６】
0004118024.tif 000007
【図７】
0004118024.tif 000008
【図８】
0004118024.tif 000009